(57)【要約】  インクジェットプリンタに流体を供給するのに使用される容器（５１）の、プリンタからの取外しを補助するためのツール（１）であって、使用中、ツール（５１）は前記プリンタと前記容器（５１）との間に介在され、前記ツール（１）は、第１位置から第２位置への前記ツール（１）の移動時に、前記容器（５１）を前記プリンタから押し離すように作用する隆起部（１１）を有し、前記第１位置から第２位置への移動は、前記プリンタと前記容器（５１）の間の平面における前記ツール（１）の回転を含み、この平面が、前記容器（５１）が前記プリンタに流体を供給する方向とほぼ垂直である。【選択図】図５
2008519703.tif 000002
【特許請求の範囲】
【請求項１】
インクジェットプリンタに流体を供給するために使用される容器の、プリンタからの取外しを補助するためのツールであって、
使用中、前記ツールは前記プリンタと前記容器との間に介在され、
前記ツールは、第１位置から第２位置への前記ツールの移動時に前記プリンタから前記容器を押し離すように作用する隆起部を有し、
前記第１位置から第２位置への移動は、前記プリンタと前記容器の間の平面における前記ツールの回転を含み、この平面が、前記容器が前記プリンタに流体を供給する方向とほぼ垂直である、ツール。
【請求項２】
前記隆起部は、第１及び第２の傾斜した突出部からなり、
前記ツールの使用中に、前記突出部は、前記平面上で離間し、且つ、前記流体を分注するための前記容器の開口の向かい合った側に配置される、請求項１に記載のツール。
【請求項３】
ほぼ平面の主部品と、前記ツールの使用のための、前記主部品から延びるハンドルと、を備え、
前記主部品は、前記ツールの使用中、前記容器の前記開口と整合する開口を有し、
前記主部品は、また前記主部品の前記開口の向かい合った側に配置された前記突出部を有する、請求項２に記載のツール。
【請求項４】
前記各突出部は、前記主部品の平面から突出していない部分から最大の突出部分まで傾斜している、請求項３に記載のツール。
【請求項５】
請求項１乃至４のいずれか１項に記載のツールが装着されたインクジェットプリンタ。
【請求項６】
前記ツールが前記第１位置から前記第２位置に移動するとき、前記ツールと一緒の前記容器の移動を防止するのに適した構造部を有する、請求項５に記載のプリンタ。
【請求項７】
前記構造部は、前記流体を受けるための前記プリンタの開口の向かい合った側に配置された第１及び第２のサブ構造部を有し、前記容器と前記サブ構造部との係合が、前記ツールと一緒の前記容器の前記移動を防止する、請求項６に記載のプリンタ。
【請求項８】
前記各サブ構造部は、間に溝を形成する一対の隣接した突起からなる、請求項７に記載のプリンタ。
【請求項９】
装着された前記容器を含み、
前記容器は、第１及び第２の突起を有し、この突起は、それぞれ前記溝に配置され、
ツールの使用時に、前記隆起部が、前記容器の前記突起を押して、前記プリンタから前記容器を押し離す、請求項８に記載のプリンタ。
【発明の詳細な説明】
【技術分野】
【０００１】
本発明は、インクジェットプリンタへの流体供給用容器をプリンタから取り外す補助用ツールに関する。
【背景技術】
【０００２】
米国特許第６，１５８，８５４号公報は、インク／インク溶剤をプリンタに供給するための容器を含むインクジェットプリンタを開示する。この容器は、容器とプリンタとの間の結合によって、インク／溶剤を供給する。この結合は、容器に保持されたオスコネクタ部品と、プリンタに保持されたメスコネクタ部品とからなる。Ｏリングが、オスコネクタ部品とメスコネクタ部品の間を密封する。第１及び第２の傾斜した突出部が、メスコネクタ部品の開口の向かい合った側に設けられている。結合がなされるとき、第１及び第２の傾斜した突出部は、それぞれオスコネクタ部品の向かい合った側で容器本体に形成された第１及び第２の傾斜した凹部に受け入れられる。容器がプリンタに装着されるとき、突出部の傾斜面は凹部の傾斜面に接触する。容器の取外しとオスコネクタ部品及びメスコネクタ部品の間のシールの解除は、手で容器を回転させることにより達成される。これは、接している傾斜面を互いに乗り合わせ、そうする際に、容器をプリンタから押し離す。
【０００３】
米国特許第６，１５８，８５４号公報では、プリンタの外部が、容器を取り外すのに容器の回転を妨げてはならないという不利を有する。これは、プリンタの設計に制限を課す。さらに、容器を回転させるために容器を手でつかむことは、もし慎重に行われないと、Ｏリングシールに損傷を及ぼす不適切な変形をＯリングシールに与える。
【発明の開示】
【０００４】
本発明によれば、インクジェットプリンタに流体を供給するために使用される容器の、プリンタからの取外しを補助するためのツールであって、使用中ツールはプリンタと容器との間に介在され、ツールは、第１位置から第２位置へのツールの移動時にプリンタから容器を押し離すように作用する隆起部を有し、第１位置から第２位置への移動は、プリンタと容器の間の平面におけるツールの回転を含み、この平面が、容器がプリンタに流体を供給する方向とほぼ垂直である、ツールが提供される。
【０００５】
隆起部は、適当には、第１及び第２の傾斜した突出部からなり、ツールの使用中、突出部は、前記平面上で離間し、且つ、流体を分注するための容器の開口の向かい合った側に配置される。
【０００６】
ツールは、適当には、ほぼ平面の主部品と、ツールの使用のための、主部品から延びるハンドルと、を備え、主部品は、ツールの使用中容器の開口と整合する開口を有し、主部品は、また主部品の開口の向かい合った側に配置された前記突出部を有する。
【０００７】
また、本発明は、インクジェットプリンタに流体を供給するために使用される容器の、プリンタからの取外しを補助するための本発明によるツールが装着されたインクジェットプリンタを提供する。
【０００８】
好ましくは、プリンタは、ツールが前記第１位置から第２位置に移動するとき、ツールと一緒の容器の移動を防止するのに適した構造部を有する。
【０００９】
構造部は、適当には、流体を受けるためのプリンタの開口の向かい合った側に配置された第１及び第２のサブ構造部を有し、容器とサブ構造部との係合が、ツールと一緒の容器の移動を防止する。
【００１０】
各サブ構造部は、適当には、間に溝を形成する一対の隣接した突起からなる。
【００１１】
本発明は、さらに、装着された容器を含み、容器が第１及び第２の突起を有し、この突起がそれぞれ前記溝に配置され、ツールの使用中、ツールの隆起部が容器の突起を押してプリンタから容器を押し離す、先の段落に記載のプリンタを提供する。
【発明を実施するための最良の形態】
【００１２】
本発明は、添付図面を参照し、一例として記載される。
【００１３】
図１を参照すると、ツール１は、取付部５により、インクジェットプリンタの上板３に取付けられている。また、図５を参照すると、ツール１は、概して平らな環状の主部品７と、ツールの使用のための、主部品７から延びるハンドル９と、を有する。環状の主部品７は、環状部品の開口の向かい合った側に配置された第１及び第２の傾斜した突出部１１を含む。各突出部１１は、主部品７の平面からの非突出部分から最大の突出部分まで傾斜する。また、図６，図７及び図８を参照すると、取付部５は、図６に示すようにメスコネクタ部品１３と、図７に示すようにアーチ状停止部材１５と、図８に示すように取付板１７を有する。ツール１の環状の主部品７は、メスコネクタ部品１３の棚部１９に載り、メスコネクタ部品１３の壁２１の外側を取り囲んでこれに接する。取付板１７は、壁２１の上部２３に載る。プリンタの上板３は、コネクタ部品１３の棚部２５に載り、メスコネクタ部品１３の壁２７を取り囲んでこれに接する。アーチ状停止部材１５は、取付板１７とプリンタの上板３との間に配置され、ツール１のメスコネクタ部品１３及び環状の主部品７の周りに部分的に延びる。アーチ状部材１５の両端部のボア孔２９が、取付板１７，プリンタ上板３及びメスコネクタ部品１３の直径方向に向かい合ったボア孔と整合する。取付板１７の直径方向に向かい合ったボア孔は、３１と指示され、メスコネクタ部品１３では、３３と指示されている。ボルト３５は、ボア孔を貫通して延び、組立体を一体に固定する。直径方向に向かい合った第１及び第２の対の隣接した突起３７が、メスコネクタ部品１３の壁２１の上部２３から突出する。各対の突起３７は、それらの間に溝３９を形成する。取付板１７には、一対の対向したアーチ状のスロット４１が形成され、各アーチ状のスロット４１の短い方の側には、一対の凹部４３が切り込まれている。組立体では、アーチ状のスロット４１は、ツール１の傾斜した突出部１１を収容し、凹部４３は、メスコネクタ部品１３の対の隣接した突起３７を収容する。
【００１４】
図４を参照すると、装着された容器５１は、容器５１の流体分注開口に取付けられたオスコネクタ部品５３を含む。オスコネクタ部品５３は、外側ケーシング５５と、弁アーマチャ５７と、弁包囲部５９と、を有する。スプリング７１が、アーマチャ５７を取り囲む。容器５１の首部６５が、容器５１の流体分注開口を取り囲む。Ｏリング６７が、首部６５とオスコネクタ部品５３の外側ケーシング５５の間を密封する。オスコネクタ部品５３は、プリンタの取付部５のメスコネクタ部品１３によって受け入れられる。リングシール６１が、オス及びメスコネクタ部品５３，１３の間を密封する。リングシール６１は、オスコネクタ部品５３に当たるリップ６３を含む。メスコネクタ部品１３（図６も参照）の中央のスタブ突起６９が、弁アーマチャをスプリング７１の作用に抗して上向き方向に押すように、弁アーマチャ５７に係合する。これは、プリンタに流体を通す環状の開口７３を形成する。この点について、リングシール６１の抵抗が、スプリング７１の力よりも大きくなくてはならないことに気付くべきである。
【００１５】
図９を参照すると、第１及び第２の対の隣接したクリップ８１が、オスコネクタ部品の外側ケーシング５５の向かい合った側に配置されている。各対の隣接したクリップの間には、概して矩形で平面状の突起８３が配置されている。また、図２を参照すると、クリップ８１は、オスコネクタ部品５３を容器に固定するのを補助するため、容器５１をクリップ留めしている。突起８３は、プリンタに取付いた取付部５のメスコネクタ部品１３の第１及び第２の対の突起３７の隣接した突起の間に形成された対応する溝３９に入る。
【００１６】
図２は、プリンタに完全に装着された容器５１を示している。かくして、ツール１は、第１及び第２の傾斜する突出部１１が、取付板１７のアーチ状のスロット４１のいちばん端部に配置されるように位置決めされる。そのように配置されるとき、傾斜した突出部１１は、オスコネクタ部品５３の平面状の突起８３と干渉しない。スプリング９１が、ツール１を図２に示した位置に付勢している。
【００１７】
図３を参照すると、容器５１の取外しは、傾斜した突出部１１をアーチ状のスロット４１に沿って移動させ、突出部１１の傾斜面が平面状の突起８３と係合し、これにより突起８３を持ち上げるように、ツール１を回転させることにより達成される。この点において、傾斜した突出部１１から遠い方の、平面状の突起８３の側にある突起３７は、容器５１の回転を防止し、これにより、容器の持ち上げを容易にする。図４から分かるように、容器５１の持ち上げは、リングシール６１の抵抗に抗し、弁アーマチャ５７をスタブ突起６９から持ち上がらせ、これによりスプリング７１が環状の開口７３を閉じて容器５１を出る流体を防止する。
【図面の簡単な説明】
【００１８】
【図１】プリンタに取付けられた本発明によるツールを示す図である。
【図２】図１の取付部を使用した容器の装着を示す図である。
【図３】図１のツールを使用した装着された容器の取外しを示す図である。
【図４】図２のツール，取付部及び装着された容器の断面図である。
【図５】プリンタへの取付部から取外された図１のツールを示す図である。
【図６】図１の取付部の第１の構成部品を示す図である。
【図７】図１の取付部の第２の構成部品を示す図である。
【図８】図１の取付部の第３の構成部品を示す図である。
【図９】図２の容器のオスコネクタ部品の外側ケーシングを示す図である。
【符号の説明】
【００１９】
１  ツール
３  プリンタ上板
５  取付部
７  主部品
９  ハンドル
１１  突出部
１３  メスコネクタ部品
１５  アーチ状停止部材
１７  取付板
１９  棚部
２１  壁
２３  上部
２５  棚部
２７  壁
２９  ボア孔
３５  ボルト
３７  突起
３９  溝
４１  スロット
４３  凹部
５１  容器
５３  オスコネクタ部品
５５  外側ケーシング
５７  弁アーマチャ
５９  弁包囲部
６１  リングシール
６３  リップ
６５  首部
６７  Ｏリング
６９  スタブ突起
７１  スプリング
７３  開口
８１  クリップ
８３  突起
９２  スプリング
【図１】
2008519703.tif 000003
【図２】
2008519703.tif 000004
【図３】
2008519703.tif 000005
【図４】
2008519703.tif 000006
【図５】
2008519703.tif 000007
【図６】
2008519703.tif 000008
【図７】
2008519703.tif 000009
【図８】
2008519703.tif 000010
【図９】
2008519703.tif 000011
【国際調査報告】
2008519703.tif 000012
2008519703.tif 000013